(57)【要約】【課題】把持金具のサイズの種類を少なくして、パイプ式ジャンパ装置のコストダウンを図る。【解決手段】平行な２本のパイプ導体１１を把持する把持金具２５を有するパイプ式ジャンパ装置において、ある外径のパイプ導体を把持するように製作された把持金具２５を用いてそれより外径の小さいパイプ導体１１を把持するために、前記把持金具２５とパイプ導体１１との間に、外径が把持金具２５のパイプ把持溝２９の内径に適合し、内径がパイプ導体１１の外径に適合するアダプタ金具３５を介在させた。【選択図】図１
2011234515.tif 000002
【特許請求の範囲】
【請求項１】
平行な２本のパイプ導体を把持する把持金具を有するパイプ式ジャンパ装置において、ある外径のパイプ導体を把持するように製作された把持金具を用いてそれより外径の小さいパイプ導体を把持するために、前記把持金具とパイプ導体との間に、外径が把持金具のパイプ把持溝の内径に適合し、内径がパイプ導体の外径に適合するアダプタ金具を介在させたことを特徴とするパイプ式ジャンパ装置。
【発明の詳細な説明】
【技術分野】
【０００１】
本発明は架空送電線用のパイプ式ジャンパ装置に関するものである。
【背景技術】
【０００２】
従来のパイプ式ジャンパ装置を図２に示す。パイプ式ジャンパ装置は、鉄塔のアーム１の両側にそれぞれ耐張碍子連３、ヨーク５、引留クランプ７を介して引き留められた架空送電線９を電気的に接続するもので、剛性を有するパイプ導体１１、可撓性を有するジャンパ線１３、パイプ導体１１を吊り下げる棒状の吊り下げ部材１５等から構成されている（特許文献１、２参照）。
【０００３】
パイプ導体１１は、同一水平面内に平行に配置された２本の断面円形のアルミパイプで構成されている。ジャンパ線１３は、一般に架空送電線９の導体本数と同じ本数で（図示の例は４本）、上端が引留クランプ７に接続され、下端がパイプ導体１１の端部に接続されている。吊り下げ部材１５は、上端がヨーク５に連結され、下端がパイプ導体１１の端部付近に連結されている。
【０００４】
また、パイプ導体１１には、吊り金具１７、接地金具１９、ジャンパホーン２１、スペーサ２３が取り付けられている。吊り金具１７は、パイプ導体１１を吊り下げ部材１５の下端に連結するもので、図３に示すように、２本のパイプ導体１１を把持する把持金具２５に取り付けられている。把持金具２５は、それぞれパイプ把持溝２９を有する上側金具２７Ａ及び下側金具２７Ｂと、締め付け用のボルトナット３１とで構成されている。
【０００５】
接地金具１９は、停電工事などの際に送電線等に残っている電荷をアースに放電させるためのもので、これも、２本のパイプ導体１１を把持する図３のような把持金具２５に取り付けられている。ジャンパホーン２１は、鉄塔アーム１に取り付けられたアース側ホーン３３と対峙してサージ電圧を放電させるためのもので、これも、２本のパイプ導体１１を把持する図３のような把持金具２５に取り付けられている。スペーサ２３は、２本のパイプ導体１１を所定の間隔に保持するもので、図３のような把持金具２５で構成されている。
【先行技術文献】
【特許文献】
【０００６】
【特許文献１】特開２００１−１５７３４７号公報
【特許文献２】特開２００２−５１４４２号公報
【発明の概要】
【発明が解決しようとする課題】
【０００７】
パイプ式ジャンパ装置のパイプ導体には、電流容量に応じて外径80mm〜120mmの範囲の各種サイズのアルミパイプが使用されている。このため従来は、パイプ導体の外径毎に把持金具の設計、製作が行われていた。しかし、把持金具は、鋼又はアルミ合金の鋳造や鍛造等により製作されるため、把持金具をパイプ導体の外径毎に製作すると、パイプ導体の外径毎に金型を用意して少量生産する必要があり、コストが高くなるという問題がある。
【０００８】
本発明の目的は、把持金具のサイズの種類を少なくして、パイプ式ジャンパ装置のコストダウンを図ることにある。
【課題を解決するための手段】
【０００９】
上記目的を達成するため本発明は、平行な２本のパイプ導体を把持する把持金具を有するパイプ式ジャンパ装置において、ある外径のパイプ導体を把持するように製作された把持金具を用いてそれより外径の小さいパイプ導体を把持するために、前記把持金具とパイプ導体との間に、外径が把持金具のパイプ把持溝の内径に適合し、内径がパイプ導体の外径に適合するアダプタ金具を介在させたことを特徴とするものである。
【発明の効果】
【００１０】
本発明によれば、ある外径のパイプ導体を把持するように製作された１つのサイズの把持金具で、それより外径の小さいパイプ導体を把持できるようにしたので、１つのサイズの把持金具を外径の異なるパイプ導体に共用することができる。このため、把持金具のサイズの種類を大幅に少なくすることができ、パイプ式ジャンパ装置のコストダウンを図ることができる。
【図面の簡単な説明】
【００１１】
【図１】本発明に係るパイプ式ジャンパ装置の一実施例の要部を示す正面図。
【図２】従来のパイプ式ジャンパ装置の一例を示す側面図。
【図３】図２のパイプ式ジャンパ装置の要部を示す正面図。
【発明を実施するための形態】
【実施例】
【００１２】
以下、本発明の一実施例を図１を参照して詳細に説明する。パイプ式ジャンパ装置の全体構成は図２に示す従来例と同様であるので、説明を省略する。図１は先に説明した図３に相当するもので、図３と同様、１１はパイプ導体、１７は吊り金具、２５はパイプ導体１１を把持する把持金具、２７Ａ、２７Ｂは把持金具２５を構成する上側金具及び下側金具、２９は把持金具２５のパイプ把持溝、３１は上側金具２７Ａと下側金具２７Ｂを締め付けると共に、吊り金具１７を把持金具２５に取り付けるボルトナットである。
【００１３】
このパイプ式ジャンパ装置の特徴は、ある外径のパイプ導体を把持するように製作された把持金具２５を用いてそれより外径の小さいパイプ導体１１を把持するために、把持金具２５とパイプ導体１１との間に、外径が把持金具２５のパイプ把持溝２９の内径に適合し、内径がパイプ導体１１の外径に適合するアダプタ金具３５を介在させて、ある外径のパイプ導体を把持するように製作された把持金具２５でそれより外径の小さいパイプ導体１１を把持したものである。アダプタ金具３５は上下に二つ割りになった一対の半円筒部材で構成されている。
【００１４】
このようにすると、１つのサイズの把持金具を、外径の異なるパイプ導体に共用することができるので、把持金具のサイズの種類を大幅に少なくできる。例えば外径100mmのパイプ導体を把持するように製作された把持金具を用いて、外径90mmのパイプ導体を把持する場合には、外径100mm、内径90mmのアダプタ金具を介在させて、外径90mmのパイプ導体を把持すれば、外径90mmのパイプ導体を把持する把持金具は必要なくなる。この場合、アダプタ金具が別に必要となるが、アダプタ金具は把持金具よりもサイズが格段に小さく、形状も単純であるため、把持金具よりも大幅にコスト安である。このように、１つのサイズの把持金具を例えば２種類の外径のパイプ導体に共用できるようにするだけでも、把持金具のサイズの種類を従来の２分の１にすることが可能となる。
【００１５】
なお、アダプタ金具３５の上半分は上側金具２７Ａに、下半分は下側金具２７Ｂに、それぞれねじ止め等により固定することが好ましい。
【００１６】
また、上記実施例では、把持金具２５に吊り金具１７を取り付ける場合を説明したが、把持金具に接地金具又はジャンパホーン等を取り付ける場合や、把持金具でスペーサを構成する場合も同様である。
【符号の説明】
【００１７】
１１：パイプ導体
１７：吊り金具
２５：把持金具
２７Ａ：上側金具
２７Ｂ：下側金具
２９：パイプ把持溝
３１：ボルトナット
３５：アダプタ金具
【図１】
2011234515.tif 000003
【図２】
2011234515.tif 000004
【図３】
2011234515.tif 000005